(57)【要約】【課題】金物本体を構成する上面板部と左右の両側面板部及び背面板部を一枚板から折り曲げ加工により形成して、製品に溶接部が存在しないようにする。【解決手段】上面板部１１と、先方へ向かって次第に先細くなるように上り勾配に形成されている左右の両側面板部１２，１３と、基端部側となる背面板部１４により金物本体１０が構成され、背面板部の外面側には掛け止め部１７が設けられているケーブル等の受け金物において、上面板部１１と両側面板部１２，１３と背面板部１４は板取りされた一枚板を折り曲げて形成した一体物とされ、その背面板部１４の外面側には、該背面板部１４に挿通した固定具（ボルト１５とナット１６）によって掛け止め部１７が設けられ、この掛け止め部１７は、背面板部１４との間に間隙ａを存在させて、固定具により止着されている。【選択図】  図１
2004350482.tif 000002
【特許請求の範囲】
【請求項１】
上面板部と、先方へ向かって次第に先細くなるように上り勾配に形成されている左右の両側面板部と、基端部側となる背面板部により金物本体が構成され、背面板部の外面側には掛け止め部が設けられているケーブル等の受け金物において、上面板部と両側面板部と背面板部は板取りされた一枚板を折り曲げて形成した一体物とされ、その背面板部の外面側には、該背面板部に挿通した固定具によって掛け止め部が設けられ、この掛け止め部は、上記背面板部との間に間隙を存在させて、上記固定具によって止着されていることを特徴とするケーブル等の受け金物。
【請求項２】
背面板部と掛け止め部との間にはスペーサーが、また背面板部の内面には補強板が固定具にそれぞれ嵌装して設けられ、そのスペーサーと補強板は上記固定具により止着されていることを特徴とする請求項１記載のケーブル等の受け金物。
【請求項３】
背面板部には補強用リブが設けられていることを特徴とする請求項１又は２記載のケーブル等の受け金物。
【請求項４】
固定具は背面板部に設けた膨出部に挿通され、この膨出部は固定具の締着によって掛け止め部に圧接していることを特徴とする請求項１記載のケーブル等の受け金物。
【発明の詳細な説明】
【０００１】
【発明の属する技術分野】
本発明は、ケーブルが布設される壁面等に固定した支持部に取付けて、ケーブル等を支持するために用いる受け金物に関する。
【０００２】
【従来の技術】
ケーブル等を支持するために用いる受け金物としては、図６に示すように上面板部１と先方へ向かって次第に先細くなるように上り勾配に形成されている左右の両側面板部２，３の一体物に背面板部４が溶接により固定され、背面板部４の外面部には、洞道等の壁面に設けられる支持部のダルマ穴と称せられている取付け穴に脱着可能に取付けできる、大径部５ａと軸部５ｂからなる掛け止め部５が溶接により固定されている構造のものが広く知られている。この公知の受け金物は、鋳鋼製の掛け止め部５を除いて鉄板製であり、組み付けが完了した後でどぶ漬けによるめっきが施される。
【０００３】
【発明が解決しようとする課題】
上記公知の受け金物は溶接作業に熟練を要することは勿論、めっきが施された後でめっき垂れや上面板部に設けられている穴等からバリを取り除く仕上げ作業が必要であって、手間がかかってコスト高になることは避けられなかった。また、溶接部分が弱化して固定部５が設けられる背面板部４側に支持能力の低下を来たすという不具合の起こり易いという問題があった。
【０００４】
本発明は上記の問題を解決したものであって、その目的は受け金物の金物本体を構成する上面板部と左右の両側面板部及び背面板部が一枚板により形成された一体物とされ、背面板部には固定具により取付けられる掛け止め部が強固に構成できるようにして、熟練を必要とする溶接作業の手間が省かれて作業性は向上し、製作が容易かつ安価にできることは勿論、強度的にも安定して安全に使用できるように改良したケーブル等の受け金物を提供することにある。
【０００５】
【課題を解決するための手段】
上記目的を達成するために、本発明の特徴とするケーブル等の受け金物は、上面板部と、先方へ向かって次第に先細くなるように上り勾配に形成されている左右の両側面板部と、基端部側となる背面板部により金物本体が構成され、背面板部の外面側には掛け止め部が設けられているケーブル等の受け金物において、上面板部と両側面板部と背面板部は板取りされた一枚板を折り曲げて形成した一体物とされ、その背面板部の外面側には、該背面板部に挿通した固定具によって掛け止め部が設けられ、この掛け止め部は、上記背面板部との間に間隙を存在させて、上記固定具によって止着されている構成である。
【０００６】
この発明の構成において、背面板部と掛け止め部との間に存在させる間隙は、スペーサーを固定具に嵌装するか、被支持物による荷重が小さい場合は背面板部自体に膨出部を設けるだけで簡単に形成できるものであって、特に、スペーサーによる場合は、背面板部の強度を確保するために背面板部の内面側に補強板を設けるのが好ましく、スペーサーと補強板は上記固定具（例えばボルトとナット）によって強固に止着できる。また、補強板は、背面板部自体に補強用のリブを設けることによって、その分だけ厚さの薄いものが使用できる。
【０００７】
【発明の実施の形態】
以下に、本発明の実施の形態を図面を参照して説明する。図１乃至図４において、総括的に符号１０で示す金物本体は上面板部１１と、先方へ向かって次第に先細くなるように上り勾配に形成された左右の両側面板部１２，１３と、基端部側となる背面板部１４により構成されている。即ち、金物本体１０は、図３にその展開したものが示されているように、板取りされた一枚板（例えば、溶融した亜鉛とアルミニウムとマグネシウム合金によるめっきが施されている厚さが２ｍｍ程度の鋼板）を折り曲げ加工して上面板部１１と両側面板部１２，１３と背面板部１４の一体物に形成されている。１０ａは折り曲げ部を示す点線である
【０００８】
背面板部１４の外面側には、該背面板部に挿通した固定具のボルト１５によって支持された、掛け止め部１７が設けられ、この掛け止め部１７は、背面板部１４との間に間隙ａを存在させて、上記ボルト１５のナット１６締めにより締着されている。図示の場合、掛け止め部１７にはキャップ状のものが用いられている。ボルト１５には、掛け止め部１７内に位置して変形防止用の座金１８が、また背面板部１４と掛け止め部１７間に位置してスペーサー１９がそれぞれ締め付け状態に嵌着されている。なお、スペーサー１９は断面形状が四角形であって、背面板部１４側の部分が該背面板部１４にあけられている四角形の穴１４ａ′に嵌められて、背面板部１４とは相対的回転ができないようになっている。
【０００９】
更に、背面板部１４の内面側にはボルト１５に嵌着して補強板（厚さは４．５ｍｍ程度）２１が設けられており、補強板２１はボルト１５のナット１６締めによって背面板部１４に締着されている。補強板２１は、背面板部１４にリブ１４ａを設けることによって（図４を参照）、その分だけ厚さの薄いものを使用できる。補強板２１の左右両側部分は直角に折り曲がって両側面板部１２，１３に当接した接合部２１ａに形成されているが、この接合部２１ａは補強板２１に設けないで、背面板部１４側に設けてもよい。
【００１０】
上面板部１１の先端部１１ａは危険防止の面から下方へ向けて緩やかに湾曲している。図示省略したが、掛け止め部１７、座金１８スペーサー１９及び補強板２１にあけられているボルト１５を通す穴は何れも丸穴であり、また、上面板部１１には被支持物の取付け金具用の穴や凹み部ガ設けられている。なお、掛け止め部１７は円盤状のものでもよく、この場合は座金１８は省略できる。以上の説明では固定具にボルト・ナットが用いられているが、これはリベット等の他の同効の固定具に代えることも可能である。
【００１１】
次に、補強板２１を用いないで実施した変形例を図５により説明する。この変形例では、先の実施例の部材と同一部材については、同一符号を用いてそれら部材の説明を省略する。背面板部１４にはボルト１５を挿通する部分に凹みを内側とする膨出部２２が設けられており、背面板部１４の内側から膨出部２２に挿通したボルト１５を掛け止め部１７内でナット１６締めして、該掛け止め部１７と膨出部２２を互いに圧接させて締着し、背面板部１４と掛け止め部１７の間に間隙ａを形成できるように構成されている。なお、背面板部１４の両側部分は直角に折り曲がって両側面板部１２，１３に当接する接合部１４ｂを形成している。図中、２３は通常の座金である。
【００１２】
【発明の効果】
本発明は上記の如くであって、金物本体は一枚板の折り曲げ加工によって構成されているため、作業性は一段と向上することは勿論、溶接部分がなくなって強度的にも優れた受け金物を容易に提供できる。また、熟練を要する溶接作業が不要となり、かつ金物本体の素材にめっき鋼板を用いることで製品の仕上げ作業もなくなって、大幅なコストダウンを達成できる。
【図面の簡単な説明】
【図１】本発明の実施の形態を一部切り欠いて示す平面図である。
【図２】図１に示すものの側面図である。
【図３】図１に示すものの金物本体のみの展開図である。
【図４】図１に示すものの一部を変更した部分平面図である。
【図５】本発明の他の変形例を一部切り欠いて示す部分平面図である。
【図６】従来の支持金物を一部切り欠いて示す側面図である。
【符号の説明】
１０は金物本体、１１は上面板部、１２，１３は側面板部、１４は背面板部、１４ａはリブ、１５はボルト、１６はナット、１７は掛け止め部、１９はスペーサー、２１は補強板、２２は膨出部、ａは間隙である。
【図１】
2004350482.tif 000003
【図２】
2004350482.tif 000004
【図３】
2004350482.tif 000005
【図４】
2004350482.tif 000006
【図５】
2004350482.tif 000007
【図６】
2004350482.tif 000008